(57)【要約】      （修正有）【課題】低周波応答を向上し、周波数応答曲線を平坦にして、周波数の低い音声の良好な音声再生効果を得る、平面圧電スピーカアクチュエータの提供。【解決手段】該圧電薄膜は金属電極（正）と金属電極（負）をそれぞれ圧電薄膜上下に設置して成り、該金属薄膜上下に圧電薄膜をそれぞれ設け、中央部上の一面にフレームを設置し、金属導線で導線を接続し、中央部の側辺部を延伸して対称のウイング部が設けられ、全長÷全体幅＝R1であるとき、R１＞１であり；全体幅÷ウイング長＝R２であるとき、R２＞１であり；ウイング長÷中央幅＝R３で、R３＞１であり；R１＝R２＝R３＝１．６１８である場合、その初期周波数の低下の程度及び周波数応答曲線の平坦度が最良の状態に達し、また、全長＝４．２３６中央幅であるとき、初期周波数の低下の程度及び周波数応答曲線の平坦度が最も理想的な状態に達する。【選択図】図３
0003109171.tif 000002
【実用新案登録請求の範囲】
【請求項１】
圧電薄膜、金属薄膜、フレーム、金属導線、導線から構成され、且つ、中央部とウイング部を含み、そのうち、該圧電薄膜は金属電極（正）と金属電極（負）をそれぞれ圧電薄膜上下に設置して成り、金属薄膜上下に圧電薄膜をそれぞれ設け、中央部上の一面にフレームを設置し、金属導線で導線を接続し、中央部の側辺部を左右に延伸して対称のウイング部が設けられ、全長はウイング部に中央部を加えた長さであり、全体幅はウイング部の幅であり、ウイング長さはウイング部の長さとし、中央幅は中央部の幅とし、
全長
----  ＝R1であるとき、且つR１＞１であり；
全体幅
全体幅
--------          ＝R２であるとき、且つR２＞１であり；
ウイング長
ウイング長
--------          ＝R３で、且つR３＞１であり；
中央幅
R１＝R２＝R３＝１．６１８である場合、その初期周波数の低下の程度及び周波数応答曲線の平坦度が最良の状態に達し、また、全長＝４．２３６中央幅であるとき、初期周波数の低下の程度及び周波数応答曲線の平坦度が最も理想的な状態に達することを特徴とした、平面圧電スピーカアクチュエータ。  
【請求項２】
前記のうち、該ウイング部の割合が中央部の割合より大きく、且つ、梯子形や長方形、円形、三角形の複数且つ中央部に対して対称な多辺形状とし、低周波応答を向上した、請求項１に記載の平面圧電スピーカアクチュエータ。
【請求項３】
前記のうち、該圧電薄膜を片面１層、片面３層、片面５層、両面３層、両面５層、片面多層、両面多層の圧電薄膜とした、請求項１または２に記載の平面圧電スピーカアクチュエータ。
【請求項４】
前記のうち、該フレームに接続する平板を木板、金属板、アクリル版、ゴム板、紙板等の平面板とした、請求項１乃至３に記載の平面圧電スピーカアクチュエータ。
【考案の詳細な説明】
【技術分野】
【０００１】
本考案は、平面圧電スピーカアクチュエータに関し、特に、平面圧電スピーカアクチュエータの初期周波数を低くする方法に関し、中央部の側辺部を左右に延伸して設けた対称のウイング部を備え、全長が左右のウイング部に中央部を加えた長さとし、全体の幅がウイング部の幅とし、ウイング長さはウイング部の長さとし、中央の幅は中央部の幅とし、
全長
----  ＝R1であるとき、且つR１＞１であり；
全体幅
全体幅
--------          ＝R２であるとき、且つR２＞１であり；
ウイング長
ウイング長
--------          ＝R３で、且つR３＞１であり；
中央幅
R１＝R２＝R３＝１．６１８である場合、その初期周波数の低下の程度及び周波数応答曲線の平坦度が最良の状態に達し、全長＝４．２３６中央幅であるとき、初期周波数の低下の程度及び周波数応答曲線の平坦度が最も理想的な状態に達することを特徴とした、平面圧電スピーカアクチュエータに関する。
【背景技術】
【０００２】
図１、図１−１に示すように、一般的な平面圧電スピーカアクチュエータAは、金属薄膜A2上下にそれぞれ圧電薄膜A１を設置した後、金属導線A４で導線A５を接続し、フレームA3とコーン紙等の音声発生装置を接続して成る。図１−２に示すように、その全体長さC１は長さC２の二倍である必要があり、且つ、フレームA３を全体長さC１の二分の一の位置に設置しなければならない。この構造は周波数の低い信号に対し、図１−３に示すように、全体長さC１が４０ｍｍで、全体厚さが０．３ｍｍとした場合、４００Hzより低い音声信号に対して良好な周波数応答を発生することができないため、この欠点をいかに排除するかが、本考案が解決する技術的問題点である。
【考案の開示】
【考案が解決しようとする課題】
【０００３】
本考案の目的は、低周波応答を向上し、全体の周波数応答曲線を平坦にして、周波数の低い音声の良好な音声再生効果を得ることができる、平面圧電スピーカアクチュエータを提供することにある。
【課題を解決するための手段】
【０００４】
本考案の平面圧電スピーカアクチュエータは、圧電薄膜、金属薄膜、フレーム、金属導線、導線から構成され、且つ、中央部とウイング部を含み、そのうち、該圧電薄膜は金属電極（正）と金属電極（負）をそれぞれ圧電薄膜上下に設置して成り、金属薄膜上下に圧電薄膜をそれぞれ設け、中央部上の一面にフレームを設置し、金属導線で導線を接続し、中央部の側辺部を左右に延伸して対称のウイング部が設けられ、全長はウイング部に中央部を加えた長さであり、全体幅はウイング部の幅であり、ウイング長さはウイング部の長さとし、中央幅は中央部の幅とし、
全長
----  ＝R1であるとき、且つR１＞１であり；
全体幅
全体幅
--------          ＝R２であるとき、且つR２＞１であり；
ウイング長
ウイング長
--------          ＝R３で、且つR３＞１であり；
中央幅
R１＝R２＝R３＝１．６１８である場合、その初期周波数の低下の程度及び周波数応答曲線の平坦度が最良の状態に達し、また、全長＝４．２３６中央幅であるとき、初期周波数の低下の程度及び周波数応答曲線の平坦度が最も理想的な状態に達することを特徴とする。
【考案の効果】
【０００５】
本考案の進歩性と実用性をより明確にするため、従来品と比較した本考案の実用的効果を以下に示す。
「従来品の欠点」
１、低周波の周波数応答が悪い。
２、周波数の低い音に対する音声再生の効果が悪い。
３、低周波に対するリアリティのロスが大きく、音声再生の周波数範囲が小さい。
【０００６】
「本考案の利点」
１、低周波応答を向上することができる。
２、周波数の低い音声も良好な音声再生効果が得られる。
３、全体の周波数応答曲線を平坦にし、音声再生時のリアリティのロスを抑えることができる。
４、音声周波角許容範囲をより高くできる。
５、進歩性と実用性が高い。
６、産業的競争力を向上できる。
【実施例１】
【０００７】
本考案の平面圧電スピーカアクチュエータBは、図２、図３に示すように、中央部B6とウイング部B７を含み、金属薄膜B２上下に圧電薄膜B１をそれぞれ設け、中央部B６上の一面にフレームB３を設け、金属導線B５で接続した導線B４を固定して構成される。さらに、該圧電薄膜B1は、金属電極（正）B１１と金属電極（負）B１２を圧電薄膜B１３上下にそれぞれ設置して成る。
【０００８】
中央部B６の側辺部を左右に延伸して対称のウイング部B７を設ける。図５に示すように、全長C１は左右のウイング部B７に中央部B６を加えた長さとし、全体幅C４はウイング部B７の幅とし、ウイング長さC５はウイング部B７の長さとし、中央幅C６は中央部B６の幅とする。下記の公式から分かるように、
全長
----  ＝R1であるとき、且つR１＞１であり；
全体幅
全体幅
--------          ＝R２であるとき、且つR２＞１であり；
ウイング長
ウイング長
--------          ＝R３で、且つR３＞１であり；
中央幅
R１＝R２＝R３＝１．６１８である場合、その初期周波数の低下の程度及び周波数応答曲線の平坦度は最良の状態に達し、また、全長C３＝４．２３６中央幅C６であるとき、初期周波数の低下の程度及び周波数応答曲線の平坦度が最も理想的な状態に達することを特徴とする。
【０００９】
図１-３に示すように、全長C１が４０ｍｍで全体厚さが０．３ｍｍの場合、４００Hzより低い音声信号は良好な周波数応答を発生することができないが、図９に示すように、本考案で試験した周波数対応ｄB値の波形図を見ると、２５０Hzのときすでに共振を発生し、低い音声周波数に対しても良好な周波数応答を得ることができ、且つ、その共振時の曲線も平坦であり、共振応答波形図の各高低ピーク間の距離が近く、音声周波数の変動量が大きい場合もその応答変動率は低く、安定した良い周波数特性を保つことができる。
【００１０】
図１−２と図５に示すように、全長C３が全長C１に等しく、中央幅C６が全体幅C７に等しい場合、それぞれ図１−３と図９に示すように、同じ長さと幅の条件下において、本考案はウイング部B７の構造特徴により初期周波数を低くし、周波数応答曲線を平坦にする特性があり、同時に、従来のものと相対する割合に基づき、この公式で計算し一部の割合値を変更しても、得られる機能は変わらない。
【００１１】
本考案の平面圧電スピーカアクチュエータBは、図６、図６−１に示すように、信号が平面圧電スピーカアクチュエータBに送られた後、圧電薄膜B１と金属薄膜B２が発生する共振の共振波を介して、フレームB３を経てコーン紙Dまたは平板Eに伝わり、音声を発する。そのうち、該平板Eはさらに木板、金属板、アクリル板、ゴム板、紙板等の平面板とする。
【実施例２】
【００１２】
図７、図７−１に示すように、平面圧電スピーカアクチュエータFは、その金属薄膜F１上の圧電薄膜F２をさらに３層、５層、またはそれ以上の層の圧電薄膜F２とすることができ、且つ、上述と同じ機能を持つものとする。また、金属薄膜F1上の圧電薄膜F２は片面のみに設けることもでき、且つ、上述と同じ機能を持つものとする。
【実施例３】
【００１３】
図８に示すように、本考案の平面圧電スピーカアクチュエータG、Hは、ウイング部G２、H２の割合が中央部G１、H１の割合より大きく、且つ、梯子形、長方形、円形、三角形などの複数且つ中央部G１、H１に対し対称なウイング部G２、H２を設けることができ、同様に初期周波数を低くし、周波数応答曲線を平坦にすることができる。
【００１４】
上述のように、本考案は従来技術を打破する構造の下に、確実に目的とする効果を達成することができ、且つ、該項技術に詳しくない者でも容易に理解することができ、さらに、本考案はこれまで公開されておらず、進歩性と実用性を兼ね備えており、実用新案登録出願の要件を満たしているため、法に基づきここに出願をするものである。
【００１５】
上述の説明は本考案の最良の実施例について述べたものであり、本考案の請求範囲を限定するものではなく、本考案の明細書及び図面の内容を直接的・間接的に他の関連技術領域に応用し同等の効果を得るものは皆本考案の要旨の範囲に含まれるものとみなす。
【図面の簡単な説明】
【００１６】
【図１】従来の平面圧電スピーカアクチュエータの立体図である。
【図１−１】従来の平面圧電スピーカアクチュエータの立体分解図である。
【図１−２】従来の平面圧電スピーカアクチュエータの平面図である。
【図１−３】従来の平面圧電スピーカアクチュエータのテスト波形図である。
【図２】本考案の立体斜視図である。
【図３】本考案の立体分解図である。
【図４】本考案の断面図である。
【図５】本考案の平面図である。
【図６】本考案の実施例１を示す立体斜視図である。
【図６−１】本考案の実施例１を示す立体斜視図及び部分拡大図である。
【図７】本考案の実施例２を示す側面図及び部分拡大図である。
【図７−１】本考案の実施例２において、圧電薄膜を金属薄膜の片面のみに設置した状態を示す側面図及び部分拡大図である。
【図８】本考案の実施例３を示す平面図である。
【図９】本考案のテスト波形図である。
【符号の説明】
【００１７】
A          平面圧電スピーカアクチュエータ
A１        圧電薄膜
A２        金属薄膜
A３        フレーム
A４        導線
A５        金属導線
B          平面圧電スピーカアクチュエータ
B１        圧電薄膜
B１１      金属電極（正）
B１２      金属電極（負）
B１３      圧電薄膜
B２        金属薄膜
B３        フレーム
B４        導線
B５        金属導線
B６        中央部
B７        ウイング部
C１、C３  全長
C２        長さ
C４、C７  全体幅
C５        ウイング長さ
C６        中央幅
D          コーン紙
E          平板
F、G、H  平面圧電スピーカアクチュエータ
F１        金属薄膜
F２        圧電薄膜
G１、H１  中央部
G２、H２  ウイング部
【図１】
0003109171.tif 000003
【図１−１】
0003109171.tif 000004
【図１−２】
0003109171.tif 000005
【図１−３】
0003109171.tif 000006
【図２】
0003109171.tif 000007
【図３】
0003109171.tif 000008
【図４】
0003109171.tif 000009
【図５】
0003109171.tif 000010
【図６】
0003109171.tif 000011
【図６−１】
0003109171.tif 000012
【図７】
0003109171.tif 000013
【図７−１】
0003109171.tif 000014
【図８】
0003109171.tif 000015
【図９】
0003109171.tif 000016